(57)【特許請求の範囲】
【請求項１】
試料を収容した試料容器を複数個載置可能な試料容器載置機構と、
該試料容器載置機構に載置された試料容器に設けられた識別子を読み取る識別子読み取り機構と、該識別子読み取り機構が読み取った情報に基づき分析を行う機能を備えた自動分析装置において、
前記識別子読み取り機構が読み取った情報に基づき実行された分注あるいは測定が終了したことを検知する検知手段を備え、
該検知手段が分注終了を検知した際に、分析が開始された試料に対し、前回の識別子の読み取り時点から当該試料に対し新たな分析依頼があったことを該識別子読み取り機構が検知した場合には、当該試料を収容した試料容器に設けられた識別子を前記識別子読み取り機構により再度読み取り、当該新たな分析依頼があった試料容器に対し再度分注動作を行い、分析を実行するように制御する制御機構を備えたことを特徴とする自動分析装置。
【請求項２】
請求項１記載の自動分析装置において、
前記制御機構の制御を実行するか否かを切り替える切り替え機構を備えたことを特徴とする自動分析装置。
【請求項３】
請求項第１項記載の自動分析装置において、
前記検知手段にて、検知を行うタイミングを分注終了時か測定終了時か操作者が任意に切り替えることが可能であることを特徴とした自動分析装置。
【発明の詳細な説明】
【技術分野】
【０００１】
本発明は、試料を収容した試料容器に設けられた識別子を読み取り機構にて読み取り、読み取った識別子に基づき分析を行う自動分析装置に関する。
【背景技術】
【０００２】
試料を収容した試料容器に設けられた識別子を読み取り機構にて読み取り、読み取った情報に基づき分析を行う自動分析装置（例えば特許文献１参照）においては、分析開始時に前記識別子を前記読み取り機構にて読み取ることにより依頼を確定させるため、一度分析が開始されたあとに新たな依頼が発生した試料に対しては分析の対象とはならず、該分析終了後に再度分析を開始する必要があった。
【先行技術文献】
【特許文献】
【０００３】
【特許文献１】特開平６−１６７５０２号公報
【発明の概要】
【発明が解決しようとする課題】
【０００４】
上述したように、従来技術における自動分析装置では、一度分析が開始された後に新たな依頼が発生した試料に対しては分析の対象外となっていた。
【０００５】
このため、一度分析が開始されたあとに新たな依頼が発生した場合は当該分析が全て終了するまで待機するか、あるいは緊急の試料であれば当該分析をキャンセルして再度分析をやり直す必要があった。
【０００６】
本発明の目的は、分注あるいは測定終了の時点で再度前記識別子を読み取ることで、一度分析が開始されたあとに新たな依頼が発生したかどうか判別し、新たな依頼が発生していた場合には分析を中断することなく継続して行うことにある。
【課題を解決するための手段】
【０００７】
上記目的を達成するために、本発明は次のように構成される。
【０００８】
試料を収容した試料容器を複数個載置可能な試料容器載置機構と、
該試料容器載置機構に載置された試料容器に設けられた識別子を読み取る識別子読み取り機構と、該識別子読み取り機構が読み取った情報に基づき分析を行う機能を備えた自動分析装置において、
前記識別子読み取り機構が読み取った情報に基づき実行された分注あるいは測定が終了したことを検知する検知手段を備え、
該検知手段が分注あるいは測定終了を検知した際に、その時点で前記試料容器載置機構に載置された前記試料容器に設けられた識別子を前記識別子読み取り機構により再度読み取り、前回の識別子の読み取り時点から新たな分析依頼があったことを該識別子読み取り機構が検知した場合には、当該新たな分析依頼があった試料容器に対し分析を実行するように制御する制御機構を備える。
【発明の効果】
【０００９】
本発明によれば、分析開始後に新たな分析依頼が発生した試料に対し、分析を中断することなく継続して実行することが可能な自動分析装置を実現することができる。
【図面の簡単な説明】
【００１０】
【図１】本発明が適用される自動分析装置の原理的な全体構成概略を示した説明図。
【図２】本発明の実施例１における分析を開始するための分析開始画面。
【図３】本発明の実施例１における検知タイミングの切り替えを行うための画面。
【図４】本発明適用時の動作フローチャート。
【発明を実施するための形態】
【００１１】
以下、本発明の実施例について、添付画面を参照して詳細に説明する。
【実施例１】
【００１２】
図１は、自動分析装置の原理的な全体構成概略図である。
【００１３】
図１において、１−１は反応ディスクであり、反応ディスク１−１の外周上には反応容器１−２が設けられている。反応ディスク１−１全体は保温槽１−３によって所定の温度に保持されている。
【００１４】
１−４は試料を設置する試料ディスク機構であり、この機構にはバーコードを貼り付けした多数の試料の試験管が設置されている。バーコードを貼り付けした試験管内の試料はピペッティング機構１−５の試料ノズル１−６によって適宜に抽出され、試料分注位置の反応容器１−２に注入される。１−７はバーコードラベル付きの試薬ボトルあるいはカセットが設置された試薬ディスク機構であり、試薬ディスク機構にはバーコード読み取り装置１−２５が付属しており試薬登録時にバーコードを読み込みポジションに対応した試薬ボトルあるいはカセット情報を登録する。また試薬ディスクには試薬ピペッティング機構１−８が設置されている。試薬ディスク機構１−７に近接されて配置された１−９は攪拌機構である。１−１０は多波長光度計、１−１１は光源であり、多波長光度計１−１０と光源１−１１との間に測光の対象を収容する反応容器１−２が配置されている。１−１２は洗浄機構である。制御系および信号処理系について、１−１３はマイクロコンピュータ、１−１４はインターフェース、１−１５はＬｏｇ（対数）変換器、１−１６はＡ／Ｄ変換器、１−１７は試薬分注機構、１−１８は洗浄ポンプ、１−１９は試料分注機構である。また１−２０は印字のためのプリンタ、１−２１は表示のＣＲＴ、１−２２は記憶装置としてハードディスク、１−２３は入力するための操作パネル（キーボード、あるいはタッチスクリーンやマウスなどのポインティングデバイス）である。
【００１５】
図１でバーコードが貼り付けられた試験管に入れられた試料は、操作パネル１−２３より入力された、マイクロコンピュータ１−１３内のメモリに記憶されている分析パラメータにしたがって、試料ピペッティング機構１−５の試料ノズル１−６を用いて反応容器１−２に所定量分注する。
【００１６】
次に、試料が分注された反応容器１−２を、反応ディスク１−１を回転させ試薬分注位置へ移送する。その後、試薬を操作パネル１−２３より入力された、マイクロコンピュータ１−１３内に記憶されている分析パラメータにしたがって、試薬ピペッティング機構１−８および１−２６の試薬ノズルを用いて、試料が分注された反応容器１−２へ所定量分注する。その後、攪拌機構１−９で試料と試薬との攪拌が行われ、混合される。
【００１７】
この反応容器１−２が、測光位置を横切るとき、多波長光度計１−１０により吸光度が測光される。測光された吸光度は、Ｌｏｇ変換器１−１５，Ａ／Ｄ変換器１−１６，インターフェース１−１４を経由して、マイクロコンピュータ１−１３に取り込まれる。この吸光度は、あらかじめ項目毎に指定された分析法で測定しておいた標準試料液の吸光度から作成した検量線に基づき、濃度データに変換される。この測定された成分濃度データは、プリンタ１−２０やＣＲＴ１−２１に出力される。
【００１８】
以上の測定原理において、操作者は、測定に必要な種々のパラメータ設定や試料の登録、そして測定結果の確認をＣＲＴ（画面）１−２１で行う。
【００１９】
次に、図２，図４を参照して、本発明の実施例１における、分析開始後に新たな分析依頼があった場合に中断することなく分析を可能とする仕組みについて説明する。なお、図２は分析開始画面であり、図４は本発明適用時の処理フローである。
【００２０】
図２において、分析開始画面に設置された継続分析システム２−１のラジオボタン２−３を押下し、各種試料選択用チェックボックス２−４，２−５，２−６，２−７を選択したのちスタートボタン２−９を押下して分析を開始することにより、各チェックボックスに割り当てられた種別の試料に対し、分析開始後に１−２４試料バーコードリーダが１−４試料ディスク機構に設置された試料の識別子を読み取り新たな分析依頼が発生したか認識することが可能となる。
【００２１】
つまり、分析開始後に新たな依頼が発生した場合に分析を途中で中断することなく続けることができる。
【００２２】
また、ラジオボタン２−２を押下することで、操作者が任意で継続分析システムを実施するか否かを切り替えることが可能となる。
【００２３】
次に分注終了モードにて一般試料を例とした継続分析システムについて説明する。
【００２４】
ラジオボタン２−３を押下しチェックボックス２−４にチェックを入れ、継続検知タイミング画面ボタン２−８を押下する。継続検知タイミング画面にてラジオボタン３−１を選択し閉じるボタン３−３を押下し分析開始画面に戻る。スタートボタン２−９を押下し分析を開始後（ステップ４−１）、継続検知タイミングの判定を行う（ステップ４−２）。ラジオボタン３−１が選択されているため、分注終了モードに切り替える（ステップ４−３）。試料の識別子読み取り後（ステップ４−５）、試料に対する分注が行われる（ステップ４−５）。このとき分注終了モードであるか否か判定し（ステップ４−７）、分注終了モードであるときは、システムは新たな依頼があるかどうかチェックを行う（ステップ４−８）。新たな依頼があった場合は、当該試料の識別子を読み取り（ステップ４−５）、分注を行う（ステップ４−６）。新たな依頼が無い場合は測定結果を出力し（ステップ４−１１）、分析を終了する（ステップ４−１２）。
【００２５】
緊急試料チェックボックス２−５を選択した場合は緊急試料、同様にキャリブレーションチェックボックス２−６を選択した場合はキャリブレーション試料、コントロール試料チェックボックス２−７を選択した場合はコントロール試料が継続分析システムの対象となる。
【００２６】
なお、これらのチェックボックスの有効性はいずれか一つではなく、対象としたい種別を複数あるいは全種別選択することを可能とする。
【００２７】
次に図２および図３を参照しユーザによる検知タイミング設定の切り替えについて説明する。
【００２８】
ラジオボタン２−３を押下し継続分析システムを有効にする。前記チェックボックス２−４，２−５，２−６，２−７を押下し対象としたい試料の種別を選択し、検知タイミング設定画面ボタン２−８を押下する。検知タイミング設定画面においては分注終了時ラジオボタン３−１または測定終了時ラジオボタン３−２を選択することが可能である。
【００２９】
これにより、新たな分析依頼があるかどうかのチェックを当該分析中試料の全ての分注が終了したタイミングか、当該分析中の試料の測定結果が全て出力され分析を終了するタイミングにすることが可能となる。
【００３０】
なお、上述した実施例では、試料ディスクを有する自動分析装置において説明したが、その他の方式を備えた自動分析装置であっても試料を収容した試料容器を一時的に待機させておくことで当該分析継続システムを行うことが可能であることは容易に想定される。
【符号の説明】
【００３１】
１−１  反応ディスク
１−２  反応容器
１−３  保温層
１−４  試料ディスク機構
１−５  ピペッティング機構
１−６  試料ノズル
１−７  試薬ディスク機構
１−８  試薬ピペッティング機構
１−９  攪拌機構
１−１０  多波長光度計
１−１１  光源
１−１２  洗浄機構
１−１３  マイクロコンピュータ
１−１４  インターフェース
１−１５  Ｌｏｇ（対数）変換器
１−１６  Ａ／Ｄ変換器
１−１７  試薬分注機構
１−１８  洗浄水ポンプ
１−１９  試料分注機構
１−２０  プリンタ
１−２１  ＣＲＴ
１−２２  ハードディスク
１−２３  操作パネル
１−２４  試料バーコードリーダ
１−２５  試薬バーコードリーダ
１−２６  試薬ノズル
２−１  継続分析システム表示枠
２−２  ＯＦＦラジオボタン
２−３  ＯＮラジオボタン
２−４  一般試料選択用チェックボックス
２−５  緊急試料選択用チェックボックス
２−６  キャリブレーション試料選択用チェックボックス
２−７  コントロール試料選択用チェックボックス
２−８  継続検知タイミング切り替え画面ボタン
２−９  スタートボタン
３−１  分注終了時ラジオボタン
３−２  測定終了時ラジオボタン
３−３  継続検知タイミング切り替え画面を閉じるボタン
４−１  分析開始
４−２  継続検知タイミングの判定
４−３  分注終了モードへの切り替え
４−４  測定終了モードへの切り替え
４−５  試料に割り付けられた識別子の読み取り
４−６  分注処理
４−７  分注終了モードかどうかの判定
４−８，４−１０  新たな依頼が発生したかチェックするシーケンス
４−９，４−１１  測定結果出力
４−１２  分析終了
【図１】
0005530731.tif 000002
【図２】
0005530731.tif 000003
【図３】
0005530731.tif 000004
【図４】
0005530731.tif 000005